(57)【要約】【課題】  投擲物と標的からなるゲーム用品であって、投擲物を球体ではなく、多面体、特にキューブ（立方体）とする。【解決手段】投擲物と標的からなるゲーム用品（１）である。前記投擲物（４）は、全体形状が多面体であり、スポンジとその外側を覆う面ファスナで形成されている。前記標的は標的本体（３）と標的支持部（２）からなる。前記標的本体（３）は全体形状が多面体であり、スポンジとその外側を覆う面ファスナで形成されている【選択図】図１
2020014660.tif 000002
【特許請求の範囲】
【請求項１】
投擲物（４）と標的からなるゲーム用品（１）であって、
前記投擲物（４）は、全体形状が多面体であり、スポンジ（４１）とその外側を覆う面ファスナ（４２，４３）で形成されており、
前記標的は標的本体（３）と標的支持部（２）からなり、
前記標的本体（３）は全体形状が多面体であり、スポンジとその外側を覆う面ファスナ（３４）で形成されている
ことを特徴とするゲーム用品。
【請求項２】
前記投擲物（４）の多面体が立方体である請求項１記載のゲーム用品。
【請求項３】
前記標的本体（３）の多面体が少なくとも一部の稜線部分を面取り部分（３１，３２，３３）とした立方体である請求項１又は２記載のゲーム用品。
【請求項４】
前記投擲物（４）の面ファスナ（４２，４３）が雌雄混在型のものである請求項１〜３のいずれかに記載のゲーム用品。
【請求項５】
前記投擲物（４）の面ファスナが雄型ファスナ（４２Ａ）と雌型ファスナ（４３Ａ）を、それぞれ位置を変えて１つの投擲物の表面上に設けたものである請求項１〜３のいずれかに記載のゲーム用品。
【請求項６】
前記標的本体の面ファスナ（３４）が雌雄混在型、雄型、雌型のいずれかである請求項１〜５のいずれかに記載のゲーム用品。
【請求項７】
前記投擲物（４）の前記立方体が、スポンジ（４１）からなる立方体の外側を２枚のテープ状面ファスナ（４２，４３）で覆って形成されているものである請求項１〜６のいずれかに記載のゲーム用品。
【請求項８】
前記標的支持部（２）に揺動手段を設けた請求項１〜７のいずれかに記載のゲーム用品。
【請求項９】
前記揺動手段が揺動スプリング（２５）である請求項８記載のゲーム用品。
【請求項１０】
前記揺動手段が前記標的支持部（２）の基礎台（２１）に設けた起き上がりこぼし構造である請求項８記載のゲーム用品。
【請求項１１】
前記標的支持部（２）の長さ調節が可能である請求項１〜１０のいずれかに記載のゲーム用品。
【請求項１２】
前記標的本体（３）がクレーン（５）に支持されて上方から吊り下げられている請求項１〜９のいずれかに記載のゲーム用品。
【請求項１３】
請求項１〜１２のいずれかのゲーム用品において使用する前記投擲物（４）。
【請求項１４】
請求項１〜１２のいずれかのゲーム用品において使用する前記標的。
【発明の詳細な説明】
【技術分野】
【０００１】
本発明はゲーム用具に関する。特に、標的に向かって投擲物を手で投げ、標的の表面上に付着した投擲物の個数や付着場所に応じて得点を競うゲームにおいて使用する用具に関する。
【背景技術】
【０００２】
標的に向かって玉や矢などの投擲物を投げて標的の表面上に付着させる競技は多数知られている。例えば、特開２０１６―１０７０３８では、プレーヤーが「スティックボール」と呼ばれる面ファスナボールを相手選手に向かって投げ、付着部位に応じて得点を競う。特開２０１７―１７６６１５では、プレーヤーが粘着性のスクリーンに向かってボールを投げ、付着した領域に応じて得点を競う。
【先行技術文献】
【特許文献】
【０００３】
【特許文献１】特開２０１６―１０７０３８
【特許文献２】特開２０１７―１７６６１５
【発明の概要】
【発明が解決しようとする課題】
【０００４】
上記のゲームではいずれも付着性の投擲物としてボール（球体）を使用する。しかし、面ファスナを使用してボール表面を付着性にするのは、上記特開２０１６―１０７０３８で紹介されているが、そのような製品は市場には見当たらず、実際に製造するのは非常に困難である。なぜなら、面ファスナ表面は比較的に硬く、球体に加工しにくいからである。そのため、大抵のボール競技では、標的を面ファスナ雄部材（いわゆるＡ面）で形成し、ボールは面ファスナ付着性の生地（いわゆるＢ面）で形成している。
【０００５】
しかし、ボールでは対象物との接触が点接触となるため、よほど軽く小さなボールでなければ付着しないで落ちてしまう。そのような軽く小さなボールでは、ゲームとしての面白さやスポーツとしての醍醐味に欠ける。
【０００６】
本発明は、この問題を解決するために投擲物を球体ではなく、多面体、特にキューブ（立方体）とすることにより、上記問題を解決しようとすることを目的とする。また、あわせてこのゲームにおいて使用する新規な標的も提案する。
【課題を解決するための手段】
【０００７】
上記課題を解決する本発明のゲーム用品は、投擲物と標的からなるゲーム用品１であって、前記投擲物４は、全体形状が多面体であり、スポンジ４１とその外側を覆う面ファスナ４２，４３で形成されており、前記標的は標的本体３と標的支持部２からなり、前記標的本体３は全体形状が多面体であり、スポンジとその外側を覆う面ファスナ３４で形成されていることを特徴とする。
【０００８】
好ましくは、前記投擲物４の多面体が立方体であり、前記標的本体３の多面体も少なくとも一部の稜線部分を面取り部分３１，３２，３３とした立方体である。
【０００９】
前記投擲物４の前記立方体は、スポンジ４１からなる立方体の外側を２枚のテープ状面ファスナ４２，４３で覆って形成されているものであることが好ましい。
【００１０】
好ましくは、前記投擲物４の面ファスナ４２，４３が雌雄混在型のものである。しかし、別の実施態様では、雌型ファスナ４２Ａ、雄型ファスナ４３Ａとして、それぞれ位置を変えて１つの投擲物の表面上に設けることもできる。
【００１１】
前記標的本体の面ファスナ３４も雌雄混在型のものとすることが好ましい。しかし、別の実施態様では、雌型ファスナや雄型ファスナとすることもできる。
【００１２】
また、前記標的支持部２には揺動手段を設けるのが好ましい。
【００１３】
前記揺動手段としては、揺動スプリングとすることができる。
【００１４】
別の態様では、前記揺動手段は前記標的支持部２の基礎台２１に設けた起き上がりこぼし構造とすることもできる。
【００１５】
さらに、好ましくは前記標的支持部２の長さ調節が可能であることである。
【００１６】
前記標的本体は支持部により下方から支持するだけでなく、クレーン５等を使用して上方から支持して吊り下げることもできる。
【００１７】
本発明は、前記ゲーム用品において使用する前記投擲物４及び前記標的それぞれを含む。
【発明の効果】
【００１８】
本発明によれば、付着性の投擲物を球体ではなく、多面体、特にキューブ（立方体）で構成している。そのため、製造が容易である。また、標的支持部に揺動手段を設ければ、投擲物が付着しにくくなると共に、付着した投擲物４が振り落されることもあるので、ゲームやスポーツとして興趣が尽きない。
【００１９】
また、競技が終了して得点を数えるときや後片付けをするときに、ボールと異なり、キューブであれば数を数えるのが容易になる。
【００２０】
例えば得点を数えるときには、参加者の面前で縦横５列に並べた２５個のキューブを積み上げていくことで誰でも視覚的に容易に得点を計算することができる。そのため、得点公表の時間が短縮化されると共に採点者の勘違いやごまかしがないことが視覚的に理解できる。
【００２１】
後片付けのときにも、例えば全体の使用個数が１２５個であるとき、全部を収納しようと思えば、縦横５列に並べた２５個のキューブを５段積み上げればよく、時間が短縮化されると共に紛失する可能性を減らすことができる。さらに、ボールと異なり、キューブは収納箱にきちんと隙間なく納まるので、収納や運搬に便利である。
【００２２】
以下、添付の図面に基づいて、本発明の実施例を説明する。
【図面の簡単な説明】
【００２３】
【図１】本発明実施例１のゲーム用品を使用してゲームを行っている状態の斜視図である。
【図２】本実施例１で使用するキューブの分解図である。
【図３】本実施例１で使用するキューブの完成状態の斜視図である。
【図４】本実施例１で使用する標的の（ａ）平面図、（ｂ）底面図、（ｃ）正面図、（ｄ）背面図、（ｅ）左側面図、（ｆ）右側面図である。
【図５】標的本体を第１支持部（実施例１）に取り付けた状態の（ａ）平面図、（ｂ）正面図、（ｃ）側面図である。
【図６】標的本体を第２支持部（実施例３）に取り付けた状態の（ａ）平面図、（ｂ）正面図、（ｃ）側面図である。
【図７】実施例２で使用するキューブの分解図である。
【図８】標的本体をクレーンにより上方から吊り下げるタイプの標的（実施例４）の正面図である。
【実施例１】
【００２４】
図１に示すように、本実施例１のゲーム用具１は、支持部２の上に載置された標的本体３に向かって多面体、図示の実施例１では立方体（キューブ）４を手で投げ、標的本体３の表面上に付着したキューブ４の個数や付着場所に応じて得点を競うゲームにおいて使用する。
【００２５】
＜キューブ＞
実施例１の投擲物は図３に示すようなキューブ４である。大きさや重さは手で握って投げやすいことが求められ、一辺の長さ３〜８ｃｍ、重量５〜２０ｇ程度であることが好ましい。
【００２６】
このキューブ４は、図２で示すように、スポンジ４１からなる立方体の外側を２枚のテープ状面ファスナ４２，４３で覆って形成されている。具体的には、正面、左側面、右側面を１枚のテープ状面ファスナ４２で覆い、背面、平面、底面をもう１枚の面ファスナ４３で覆って形成されている。面ファスナ４２，４３とスポンジ４１は接着剤で固着されている。
【００２７】
キューブ４の中のスポンジ４１としては、例えば、ポリウレタンスポンジ、ポリエチレンスポンジ、クロロプレンラバー等を用いることができる。キューブはスポンジが主体であり、軽く柔らかいので、直接、人に当たってもけがをさせるようなことはない。
【００２８】
このキューブ４において使用する面ファスナ４２，４３は、実施例１では、雌雄混在型面ファスナである。そのようなファスナの一例が「フリーマジック」（登録商標）という名称で株式会社クラレから販売されている。
【００２９】
キューブ４は単独でも自己付着性を有するので、図１に示すように、キューブ４同士が付着して連続したり枝分かれしたりすることがある。このような付着に高得点を配分することを考えてもよい。また、そのこのようなキューブの性質を利用して幼児用の積み木ブロックおもちゃとすることもできるであろう。
【００３０】
＜標的＞
図１に示したように、実施例１の標的は標的本体３と標的支持部２からなる。標的本体３は投擲物のキューブを巨大化したようなものということができる。この標的本体３が標的支持部２により支持されている。
【００３１】
標的本体３の大きさは一辺の長さが２０〜４０ｃｍ程度で、重さは１〜２ｋｇ程度である。標的本体３は、図４に示すように、完全な立方体ではなく、稜線が３か所で面取りされている。この面取り部分３１〜３３を設けた理由は、このように狭い部分にキューブ４が付着するのは困難なので、それにふさわしい高得点を配分するためである。
【００３２】
標的本体３もキューブ４と同様に、スポンジ（図示せず）からなる立方体の外側を面ファスナ３４で覆って形成されている。標的本体は必ずしも２枚の面ファスナで形成する必要はなく、各面１枚使用してもよい。
【００３３】
標的本体３のスポンジと面ファスナ３４はキューブ４と同じ素材を使用することができる。キューブと標的は、同時に製造、梱包、運搬することが多いので、なるべく同じ素材で形成するのが経済的である。
【００３４】
図１、図５、６に示すように、標的支持部２は、基礎台２１とこの基礎台２１から直立する細長い棒２２からなる。図５、６に矢印で示すように、棒２２の長さは調節可能となるように調節部２３を設けておくことが好ましい。標的本体３の高さを変更することにより、この競技は子供から大人まで楽しむことができる。
【００３５】
標的本体３を標的支持体２に固定するには、標的本体３のコーナー部３５を標的支持部２の頂上受け座２４に取り付けることが好ましい。このように取り付けることにより、標的本体３の付着面は斜め下のプレーヤーＰから見てすべて斜面となり、付着の困難性を高めることができる。
【００３６】
付着の困難性をさらに高めるために、標的支持部２を動きやすくするのが好ましい。図１、図５の実施例１では、標的支持部２の棒２２に揺動スプリング２５を設けている。標的本体３はキューブ４が当たるたびにゆらゆらと揺れるので、キューブ４が付着しにくくなると共に、付着したキューブ４が振り落されることもある。このようにしてゲームやスポーツとして難易度を高めることができる。
【実施例２】
【００３７】
実施例２で使用するキューブにおいては、図７に示すように、面ファスナとしては雄型ファスナ４２Ａと雌型ファスナ４３Ａを使用し、それぞれ位置を変えて１つのキューブ表面上に設けている。具体的には、正面、左側面、右側面を１枚の雄型面ファスナ４２Ａで覆い、背面、平面、底面をもう１枚の雌型面ファスナ４３Ａで覆って形成されている。このとき、標的側の面ファスナは雄型ファスナのみ、雌型ファスナのみ、雌雄混在型といずれであってもよい。このようにすることにより、キューブが標的にあたっても雄型同士又は雌型同士の接触であれば付着しない。このことにより、ゲームやスポーツとして難易度を高めることができる。
【実施例３】
【００３８】
実施例３で使用する標的においては、図６に示すように、標的支持部２Ａの棒２２Ａに板バネを設けると共に、基礎台２１Ａの下面を半球状として一種の起き上がりこぼし構造としている。このようにすることにより、標的本体３はキューブ４が当たるたびにゆらゆらと揺れるので、キューブ４が付着しにくくなると共に、付着したキューブ４が振り落されることもある。このことにより、ゲームやスポーツとして難易度を高めることができる。
【実施例４】
【００３９】
実施例４で使用する標的においては、図８に示すように、クレーン５により上方から支持されている。クレーン５先端に取り付けられた標的吊り下げ棒２Ｂには揺動スプリング２４Ｂが取り付けられている。前記実施例と同様に、標的本体３はキューブ４が当たるたびにゆらゆらと揺れるので、キューブ４が付着しにくくなると共に、付着したキューブ４が振り落されることもある。
【符号の説明】
【００４０】
１     ゲーム用品
２，２Ａ，２Ｂ       標的支持部
２１、２１Ａ  基礎台
２２、２２Ａ  棒
２３   調節部
２４   受け座
２５   揺動スプリング
３     標的本体
３１，３２，３３     面取り部分
３４   面ファスナ
３５   コーナー部
４     投擲物
４１   スポンジ
４２，４３    雌雄混在型面ファスナ
４２Ａ  雄型ファスナ
４３Ａ  雌型ファスナ
５     クレーン
Ｐ     プレーヤー
【図１】
2020014660.tif 000003
【図２】
2020014660.tif 000004
【図３】
2020014660.tif 000005
【図４】
2020014660.tif 000006
【図５】
2020014660.tif 000007
【図６】
2020014660.tif 000008
【図７】
2020014660.tif 000009
【図８】
2020014660.tif 000010